(57)【要約】【課題】  給水ホースを屈曲することなく長さ調節可能に収納する。【解決手段】  食器などの被洗浄物を収納する洗浄槽と前記洗浄槽を覆う外装部材と前記洗浄槽に水または湯を供給するために前記洗浄槽の背面または側面に設けた給水口と一端が前記給水口に接続され一端が給水源に接続される給水ホースと前記洗浄槽と前記外装部材との間に前記給水ホースの少なくとも一部を収納可能な収納空間とを備えた食器洗い機において、前記収納空間に収納された前記給水ホースを、前記収納空間より取出すための給水ホース導出口と、前記給水ホースの伸出時に前記収納空間内で前記給水ホースが形成するホース曲げ径を前記給水ホースの折れ限界径以上に規制する内部折れ防止部材とを備える。【選択図】  図２
2004305730.tif 000002
【特許請求の範囲】
【請求項１】
食器などの被洗浄物を収納する洗浄槽と、前記洗浄槽を覆う外装部材と、前記洗浄槽に水または湯を供給するために前記洗浄槽の背面または側面に設けた給水口と、一端が前記給水口に接続され一端が給水源に接続される給水ホースと、前記洗浄槽と前記外装部材との間に設けた給水ホース収納空間と、前記給水ホース収納空間に収納された前記給水ホースを前記給水ホース収納空間より機外へ出し入れするための給水ホース出入口とを備えた食器洗い機において、前記給水ホースの伸出時に前記給水ホース収納空間内で前記給水ホースが形成するホース曲げ径を前記給水ホースの折れ限界径以上に規制する１つまたは複数の折れ防止部材を設け、前記給水口から前記折れ防止部材を経由して前記給水ホース出入口に到るまでの前記給水ホースの軌道の最小径が前記給水ホースの折れ限界径以上となる位置に前記折れ防止部材を配設することを特徴とする食器洗い機。
【請求項２】
前記給水ホースの伸出・収納時に前記給水ホースの伸出・収納方向を規制するためのホースガイド部材を前記給水ホース出入口の近傍に設け、
前記ホースガイド部材によって規制される伸出・収納方向の延長線上に前記ホース収納空間が位置することを特徴とする請求項１記載の食器洗い機。
【請求項３】
前記給水ホースの収納時に前記給水ホースの少なくとも一部が当接する仕切り部材を前記給水ホース収納空間に備えることを特徴とする請求項１記載の食器洗い機。
【請求項４】
前記洗浄槽と前記外装部材との間の空間内において、前記給水口に接続された前記給水ホースが前記給水ホース収納空間に収納される直前に、前記給水ホースの少なくとも一部を前記洗浄槽に固定するための給水ホース固定部材を備えることを特徴とする請求項１記載の食器洗い機。
【請求項５】
前記給水ホース出入口より機外へ露出した前記給水ホースの少なくとも一部を前記外装部材に略固定するための給水ホース固定部材を備えることを特徴とする請求項１記載の食器洗い機。
【請求項６】
前記給水ホースの最大伸出時に、前記給水ホースにおける、前記食器洗い機外へ露出した部分のうち、前記給水ホース出入口近傍の箇所に目印を付けたことを特徴とする請求項１記載の食器洗い機。
【請求項７】
前記給水ホースの最大伸出時に、前記洗浄槽に固定するための、前記給水ホース固定部材の上端近傍の給水ホース壁面に、前記給水ホース固定部材のホース摺動部径よりも大きいフランジを設けていることを特徴とする請求項４記載の食器洗い機。
【請求項８】
前記洗浄槽と前記外装部材との間に構成される給水ホース収納空間のうち、前記給水ホースと前記洗浄槽との間、又は給水ホースと外装板との間に、発泡材などからなる吸音材が設けられていることを特徴とする請求項１記載の食器洗い機。
【発明の詳細な説明】
【技術分野】
【０００１】
本発明は、洗浄槽内に洗浄水を供給する給水ホースを備えた食器洗い機に関するものである。
【背景技術】
【０００２】
従来の食器洗い機は、外装部材の内部に食器等の被洗浄物を収納する洗浄槽を備え、洗浄槽の一部は扉体によって覆われており、扉体を開いて被洗浄物を出し入れする。外装部材は上部を構成する外装板と下部を構成する下部トレイを組合せて構成される。洗浄槽背面には水または湯を供給するための給水口を備え、給水口には給水弁が接続される。外装部材の背面下部には給水ホースを接続するための給水ホース接続口および排水ホースを接続するための排水ホース接続口を備える。給水ホース接続口は洗浄槽と外装部材の間に配設した給水管によって給水弁と接続され、排水ホース接続口は洗浄槽と外装部材の間に配設した排水管によって排水ポンプと接続される。給水ホースは、一端が給水ホース接続口に接続され、もう一端が給水源に接続され、給水源の止水栓を開放することで食器洗い機に給水し、食器洗い機まで給水された水または湯は給水弁の開放によって洗浄槽内に給水され洗浄水として使用される。排水ホースは、一端が排水ホース接続口に接続され、もう一端は流し台のシンク内等に配置され、排水ポンプの駆動により洗浄水をシンクに排水する。また、機体背面をキッチンの壁面に当接した状態で食器洗い機を設置できるように、給水ホースおよび排水ホースの逃がし用の凹部を機体の背面下部に設けている。（例えば、特許文献１参照）
【０００３】
以上のような構成により、給水ホースおよび排水ホースを凹部に収まるように食器洗い機本体に沿わせることで、食器洗い機本体から給水ホースおよび排水ホースがはみ出すことなく設置できる。同様に、食器洗い機本体の側面下部にも同様の凹部を設けることで、機体側面から給水ホースおよび排水ホースがはみ出すことなく機体を設置できる。したがって、機体を設置可能な場所があれば、給水ホースおよび排水ホースを含めた状態で設置できるため、特に流し台の天板上などの壁に囲まれた狭い場所などに機体を壁に密着させた状態で設置するのに好適である。
【０００４】
食器洗い機に接続された給水ホースおよび排水ホースの取り回しについては、機体の一面に設けた略Ｕ字型の凹部に給水ホースおよび排水ホースを収めるように機体に沿わせて設置する方法も考案されている。（例えば、特許文献２参照）
【特許文献１】特開平５−１１５４１４号公報（第４頁  図１）
【特許文献２】特開平７−２７５１７７号公報（第３頁  図２）
【発明の開示】
【発明が解決しようとする課題】
【０００５】
特許文献１の従来例の食器洗い機においては、食器洗い機本体から給水源およびシンクまでの流し台上に給水ホースおよび排水ホースが露出することになる。したがって、給水ホースについては、食器洗い機を設置して流し台上に給水ホースを引き回して給水源に接続したときに給水ホースの長さが不必要に長くない状態が望ましい。また、排水ホースについては、食器洗い機を設置して流し台上に排水ホースを引き回してシンクに設置したときに排水ホースの長さが不必要に長くない状態が望ましい。
【０００６】
ところが、機体の設置位置によっては給水ホースおよび排水ホースが長すぎて流し台上に余ってしまうことがある。この様な場合、排水ホースは切断することによって長さを自由に調節することが可能であるが、給水ホースは給水源と直結して主に水道の一次圧がかかる状態で使用する部材であるため切断による長さ調節が不可能である。したがって、給水ホースの余った部分を屈曲させて設置せざるを得ないため、キッチンの美観を損ねるばかりでなく、給水ホースの折れ曲がりが発生し易くなり正常に運転できなくなるといった問題があった。さらに、キッチンの美観を損ねないように、余った給水ホースを食器洗い機で隠蔽しようとすると、食器洗い機を壁に密着させた状態で設置できなくなり、設置性が悪化するといった問題があった。
【０００７】
こういった問題を解決するための手段として、特許文献２の従来例のように、機体の一面に設けた凹部に給水ホースを収納することによって長さを調節する方法が考案されている。しかしながら、この方法では、凹部に収納したホースを規制する部材がないため、凹部内でホースに折れが発生し正常に運転できなくなる可能性がある。また、凹部を機体の側面または背面に設けた場合、機体の設置状態によっては凹部が必ずしもキッチンの壁面と当接するとは限らないため、給水ホースおよび凹部が露出することになり美観を損ねるとともに、凹部および凹部に収納した給水ホース付近に汚れが非常に溜まり易く、清掃性が著しく悪化するといった問題が発生するため、十分な効果を得るためには凹部の配置は機体の底面に制限されてしまう。
【０００８】
本発明は上記課題を解決するもので、食器洗い機の設置時に給水ホースによってキッチンの美観を損なうことがなく、且つ、信頼性、清掃性、設置性に優れた食器洗い機を提供することを目的としている。
【課題を解決するための手段および効果】
【０００９】
上記課題を解決するために、請求項１では、食器などの被洗浄物を収納する洗浄槽と、洗浄槽を覆う外装部材と、洗浄槽に水または湯を供給するために洗浄槽の背面または側面に設けた給水口と、一端が給水口に接続され一端が給水源に接続される給水ホースと、洗浄槽と外装部材との間に設けた給水ホース収納空間と、給水ホース収納空間に収納された給水ホースを給水ホース収納空間より機外へ出し入れするための給水ホース出入口とを備えた食器洗い機において、給水ホースの伸出時に給水ホース収納空間内で給水ホースが形成するホース曲げ径を給水ホースの折れ限界径以上に規制する１つまたは複数の折れ防止部材を設け、給水口から折れ防止部材を経由して給水ホース出入口に到るまでの給水ホースの軌道の最小径が給水ホースの折れ限界径以上となる位置に折れ防止部材を配設した。
これにより、食器洗い機の設置時に余った給水ホースを機体内に収納して長さを自由に調節することが可能となり、キッチンの美観を損なうことなく食器洗い機を設置できるとともに、給水ホース収納空間内での給水ホースの折れを防止できる。また、給水ホース収納空間を洗浄槽と外装部材との間に設けたため、食器洗い機をどこに設置しても収納された給水ホースを確実に隠蔽できるとともに、機体外観の凹凸が少なくなり清掃性にも優れる。
【００１０】
請求項２では、給水ホースの伸出・収納時に給水ホースの伸出・収納方向を規制するためのホースガイド部材を給水ホース出入口の近傍に設けた。
これにより、給水ホースの伸出・収納作業をスムーズに行うことができる。
【００１１】
請求項３では、給水ホースの収納時に給水ホースの少なくとも一部が当接する仕切り部材を給水ホース収納空間に備えた。
これにより、給水ホースの収納時に給水ホースがホース収納空間以外の場所に進入するのを防止できる。
【００１２】
請求項４では、給水口に接続された給水ホースが給水ホース収納空間に収納される直前に、給水ホースの少なくとも一部を洗浄槽に固定するための給水ホース固定部材を備えた。
これにより、給水口とホース収納空間を同一面上に配置しなくても請求項１で示した効果と同様の効果が得られるため、食器洗い機を構成する部材のレイアウト上、給水口とホース収納空間を同一面上に配置できない場合に有効である。
【００１３】
請求項５では、給水ホース出入口より機外へ露出した給水ホースの少なくとも一部を外装部材に略固定するための給水ホース固定部材を備えた。
これにより、給水ホースを最適な長さに調整した後にその状態を維持できるため、長さ調整後に本体を移動したときに長さが意図せぬ長さに変化したり、設置後に給水ホースの自重などによって給水ホースが必要以上に出てきたりするのを防ぐことができる。
【００１４】
請求項６では、給水ホースにおいて、最大伸出時に機外へ露出した部分のうち、給水ホース出入口近傍の箇所に目印を付けた。
この目印を、給水ホース伸出の限界を示す警告印として、使用者にガイダンスすることにより、無理な力で給水ホースを引っ張られたりすることを防止することが出来る。
【００１５】
請求項７では、給水ホースにおいて、最大伸出時に、洗浄槽に固定するための給水ホース固定部材の上端近傍の給水ホース壁面に、給水ホース固定部材のホース摺動部径よりも大きいフランジを設けた。
これにより、給水ホースの最大伸出状態からさらに、使用者が給水ホースを引き出そうと、フランジが給水ホース固定部材に干渉しストッパの役目を果たし、結果、前記した仕切り部材をはじめ、破損の恐れがあるテンションが掛かることを回避することが出来る。
【００１６】
請求項８では、前記洗浄槽と前記外装部材との間に構成される給水ホース収納空間のうち、給水ホースと洗浄槽の間、若しくは給水ホースと外装板の間に、発泡材などからなる吸音材を付与した。
一般に給湯ホースはゴム材やエラストマー、洗浄槽や外装板の壁面は樹脂や金属板で出来ているため、給湯ホースが洗浄槽や外装板に接触した部分の摩擦抵抗が大きくなることがあるが、発泡材からなる吸音材との接触にすることにより、運転中の吸音効果が得られると同時に、摩擦抵抗が下がり、結果、給水ホースのスムースな伸縮を行うことが出来る。
【発明を実施するための最良の形態】
【００１７】
（第１の実施形態）
図１に本発明の食器洗い機の側面視内部構造図、図２に背面視内部構造図（給水ホース収納時）、図３に背面内部構造図（給水ホース引出時）、図４に背面ない図構造図（応用例）を示し、本発明の構造について説明する。なお、図１および図２は食器洗い機に給水ホースを収納した状態のものである。さらに、図２乃至図４では後述する外装板１０３を除いた状態を示している。
食器洗い機は内部に食器などの被洗浄物を収納する洗浄槽１０１を備えている。食器洗い機の外装部材は下部トレー１０２と外装板１０３によって構成されており、洗浄槽１０１は下部トレー１０２に載置して固定され、天面、側面、背面は外装板１０３で覆われている。前面には開閉自在に回動する扉体１０４と操作部１０５を備え、扉体１０４を開いて洗浄槽１０１に被洗浄物を出し入れする。
【００１８】
洗浄槽１０１の背面と外装板１０３の隙間には給水ホース収納部１０６を設け、給水ホース収納部１０６の外周には洗浄槽１０１の外壁面に設けた直線状仕切り１１７および円弧状仕切り１１８を設けている。この直線状仕切り１１７および円弧状仕切り１１８の高さは給水ホース１０９の直径よりも大きく、且つ仕切り先端と外装板１０３との距離は給水ホース１０９よりも小さく設定されている。洗浄槽１０１の背面から見て、給水ホース収納部１０６の左端下方には洗浄槽１０１へ洗浄水を供給するための給水口１０７を備えている。給水口１０７には給水弁１０８を介して給水ホース１０９を接続する。給水弁１０８と給水ホース１０９の接続部が給水ホース収納部１０６の方へ向いているため、給水弁１０８に給水ホース１０９を接続すれば給水ホース１０９は必然的に給水ホース収納部１０６に収まるようになる。給水口１０７から給水ホース収納部１０６の方向へ伸びた給水ホース１０９は給水ホース収納部１０６に収まり、直線状仕切り１１７および円弧状仕切り１１８に沿って洗浄槽１０１の背面下部中央付近（洗浄槽１０１の背面から見て、給水ホース収納部１０６の右端下方）まで案内される。
【００１９】
洗浄槽１０１の背面から見て、給水ホース収納部１０６の右端下方には給水ホース１０９を給水ホース収納部１０６へ出し入れする際の方向を上下方向に規制するための筒状のガイド部材１１０を設け、給水ホース１０９を挟み込むようにして洗浄槽１０１の背面に固定している。また、給水ホース１０９を給水ホース収納部１０６へ出し入れする際の給水ホース１０９の動きによって、給水口１０７および給水弁１０８にストレスがかかるのを防止するため、給水ホース収納部１０６の給水弁１０８側の開口部近傍に給水ホース固定部材１１１を設け、給水ホース１０９を洗浄槽１０１に固定している。
【００２０】
下部トレー１０２の背面には給水ホース出入口１１４を設け、その直下には給水ホース固定兼左右案内部材１１５を設けている。給水ホース出入口１１４より機外へ出された給水ホース１０９は給水ホース固定兼左右案内部材１１５によって下部トレー１０２に略固定され、左方向または右方向に案内される（図２は背面から見て右方向に案内された状態）ため、給水ホース１０９の意図せぬ伸出・収納を防止できるとともに、折れを防止することができる。下部トレー１０２の背面および側面には凹部１１６を設けており、給水ホース１０９は凹部１１６に収まるように引き回され、図示しない給水栓や止水栓などの給水源に接続される。
【００２１】
以上のような構成により、ユーザーが給水ホース出入口１１４より露出した給水ホース１０９を引張ることで給水ホースを引出すことが可能となるが、給水ホース１０９の引出し過ぎによって給水ホース収納部１０６の内部で給水ホース１０９が折れたりつぶれたりする可能性がある。そこで本実施例においては、給水ホースの伸出限界を示す警告印として、警告テープ１１２を、最大伸出時に機外へ露出した部分のうち、給水ホース出入口近傍の箇所に巻きつけている。この警告テープは、給水ホースの伸出長さの限界である、と使用者にガイダンスすることにより、使用者により、無理な力で給水ホース１０９を引っ張られるのを防ぐことが出来る。
さらに本実施例においては、給水ホース収納部１０６の下方に半円状の折れ防止部材１１３を設けている。折れ防止部材１１３は、給水口１０７から折れ防止部材１１３を経由して給水ホース出入口１１４に到るまでの給水ホース１０９の軌道の最小径が給水ホース１０９の折れ限界径以上となる位置に配設する。このことにより、最大伸出状態においても、折れ限界径以下に給水ホース１０９が曲がるのを防ぐことが出来る。
【００２２】
次に、図３に給水ホース１０９を最大に引出した状態での背面視内部構造図を示し、図２および図３を用いて、本発明における給水ホース１０９の長さ調節方法について説明する。
給水ホース収納部１０６外周の直線状仕切り１１７の長さをＬ１、給水ホース１０９最大収納時の機外に露出する給水ホース１０９の長さをＬ２、給水ホース１０９最大引出時の機外に露出する給水ホース１０９の長さをＬ３とする。また、給水ホース収納部１０６外周の円弧状仕切り１１８の半径をＲ１、折れ防止部材１１３の半径をＲ２、給水ホース固定兼左右案内部材１１５の半径をＲ３、給水ホース１０９の直径をφ１、給水ホース１０９の折れ曲がりを防止できる最小半径をＲｍｉｎとする。
【００２３】
機外に露出する給水ホース１０９の長さＬ２を長くする場合、ユーザーは給水ホース固定兼左右案内部材１１５に嵌め込まれた状態で略固定された給水ホース１０９を取り外し、食器洗い機の設置状態に応じて適切な長さになるまで給水ホース１０９を引き出す。給水ホース１０９はガイド部材１１０に規制されて下方向に摺動し、給水ホース収納部１０６より機外へ露出する。給水ホース１０９を適切な長さに調節したら、再び給水ホース１０９を給水ホース固定兼左右案内部材１１５に嵌め込み略固定し、凹部１１６に収まるように下部トレー１０２を沿わせて引き回し、給水源に接続する。ここで、給水ホース１０９に折れが発生しないよう、給水ホース固定兼左右案内部材１１５の内側の半径は、Ｒ３≧Ｒｍｉｎとする。
【００２４】
給水ホース１０９が最大限まで引き出された場合（図３の状態）、警告テープ１１２が機外に露出するため、給水ホース１０９の引き出し過ぎに対して、ユーザーに注意を促すことができる。このときの最大引出量はＬ１の約２倍となるため、給水ホース１０９の長さＬ３＝Ｌ２＋２×Ｌ１となる。この状態からさらに引き出そうとしても、給水ホース１０９は折れ防止部材１１３に沿って規制されるため、給水ホース１０９の引き出し過ぎによる折れ曲がりを防止することができる。ただし、折れ防止部材１１３の半径は、Ｒ２≧Ｒｍｉｎとし、給水弁１０８から折れ防止部材１１３を経由して給水ホース出入口１１４に至るまでの給水ホース１０９の軌跡の最小径はＲｍｉｎ以上とする。
【００２５】
本実施例では折れ防止部材１１３を円弧状のリブにて形成したが、給水ホース１０９を沿わせた時の曲げＲがＲｍｉｎ未満にならないような形状であればどのような形状でも同様の効果が得られる。例えば、図４（ａ）、図４（ｂ）に示すようなピン状の折れ防止部材１１３や分割して構成した折れ防止部材１１３などが考えられる。これは、給水ホース固定兼左右案内部材１１５についても同様である。また、給水ホース１０９が最大限まで引き出された状態において、ガイド部材１１０上端近傍の給水ホースにフランジ状のストッパーを設けることでも同様の効果が得られる。また、直線状仕切り１１７や円弧状仕切り１１８などは、洗浄槽１０１の外壁面ではなく、外装板１０３の内側壁面に設けることでも同様な効果を得られることは言うまでもない。
【００２６】
機外に露出した給水ホース１０９を短くする場合も同様に、給水ホース固定兼左右案内部材１１５に嵌め込まれた状態で略固定された給水ホース１０９を取り外し、食器洗い機の設置状態に応じて適切な長さになるまで給水ホース１０９を押し込む。給水ホース１０９はガイド部材１１０に規制されて上方向に摺動し、給水ホース収納部１０６へ収まる。給水ホース１０９が最大限まで押し込まれた状態（図２の状態）からさらに押し込もうとしても、給水ホース１０９は給水ホース収納部１０６の円弧状仕切り１１８および直線状仕切り１１７に沿って規制されるため、給水ホース１０９の押し込み過ぎによる折れを防止することができるとともに、給水ホース収納部１０６の近傍に配設された図示せぬ他部材に給水ホース１０９が干渉するのを防止することができる。
【００２７】
以上のように、給水ホース１０９を引き出したり押し込んだりすることで、機外に露出する給水ホース１０９を最適な長さに調節することが可能となり、食器洗い機をどのように設置しても、キッチンの美観を損なうことを極力低減することができる。また、余った給水ホースを本体内部に隠蔽することによって、汚れの付着を防止でき、食器洗い機周りの清掃性が向上する。さらに、余った給水ホースの収納による、設置性の悪化や折れ曲がりによる動作不良を防止することができる。現在主流となっているコンパクトタイプの食器洗い機においては給水ホースの標準長さは１３００ｍｍであり、別売品として短尺タイプのものがあり、最短のもので８００ｍｍとなっている。したがって、本実施例中の寸法をＬ１＝２５０ｍｍ、Ｌ２＝８００ｍｍとすれば、Ｌ３＝Ｌ２＋２×Ｌ１＝１３００ｍｍとなり、給水ホース１０９の長さを８００ｍｍ〜１３００ｍｍの幅で自由に調整することができる。
【００２８】
なお、上記実施例では給水ホース収納部１０６および給水ホース１０９の経路を構成する全ての部材を食器洗い機の背面に設けた場合について述べたが、天面、側面、底面などの他の面に設けても同様の効果が得られる。
【００２９】
（第２の実施形態）
第２の実施形態として、給水ホース収納部１０６を食器洗い機の底面（下部トレー１０２の内部）に設け、給水口１０７を食器洗い機の背面に設けた場合を図５に示す。以下に明示しない構成は第１の実施形態と共通である。
本実施形態では、給水ホース固定部材１１１によって、給水ホース１０９が給水ホース収納部１０６の給水口１０７側の開口部近傍に固定されている。したがって、給水ホース１０９の出し入れによるストレスが給水口１０７および電磁弁１０８に直接伝わらないため給水口１０７近傍のシール性を確保できる。
【００３０】
（第３の実施形態）
図６、図７に、第３の実施例として、給水ホース収納エリアに吸音材を添付した例を示す。以下に明示しない構成は第１の実施形態と共通である。
図６、図７に示す通り、洗浄槽１０１の外壁面の給水ホース収納部１０６部分や外装板１０３の内壁面に、例えば、ウレタン樹脂を発泡させスポンジ状に形成した吸音部材１１９を添付することにより、通常、ゴム製やエラストマー部材で構成される給水ホースと洗浄槽１０１の外壁面・外装板１０３の内壁面との間に発生する摩擦を低減させることが出来るので、食器洗い機の運転中の騒音を低減させるという吸音部材１１９としての効果の他に、給水ホース１０９を出し入れする際にスムースな出し入れを行うことが出来る。
なお、直線状仕切り１１７の給水ホース摺動壁面に吸音部材１１９を貼付することでも、給水ホース１０９のスムースな出し入れ効果を増すことが出来る。また、本実施形態においては、吸音材をウレタン樹脂を発泡させたものとしたが、この例に限らず、ある程度の厚みを有する吸音材であればかまわない。例えば、フエルト等が考えられる。
【００３１】
（第４の実施形態）
第４の実施形態に関わる背面視内部構造図を図８に示し説明する。
この実施形態で記載しない点は第１の実施形態と共通である。
図８において、本実施形態の特有な点である金属製の補強部材１２０を設けており（図８（ａ）参照）、この補強部材１２０は、洗浄槽のほぼ中央でしかも上下に渡り設けたもので、使用者が外装板に手を突いたときの変形を防止するためである。さらに、この補強部材はある程度の厚みを有しており、そのため、給水ホース１０９の出し入れの際、該ホース１０９がこの補強部材１２０に接してことで、給水ホースの垂れ下がりを防止するようにしている。
ここで、この補強部材１２０は、上部で前記洗浄槽上端１０１に覆い被さるように係合し（図８（ａ）のａ−ａ断面図である図８（ｂ）参照）、さらに下部で下部ケース１０２とネジで螺合する（図８（ａ）のｂ部拡大図である図８（ｃ）参照）ことにより固定されている。
【産業上の利用可能性】
【００３２】
本発明に係る食器洗い機は、キッチンに設置して利用することができる。
【図面の簡単な説明】
【００３３】
【図１】本発明の実施形態における食器洗い機の側面視内部構造図。            （給水ホース収納時）
【図２】本発明の第一の実施形態における食器洗い機の背面視内部構造図。            （給水ホース収納時）
【図３】本発明の第一の実施形態における食器洗い機の背面視内部構造図。            （給水ホース露出時）
【図４】本発明の第一の実施形態の応用例を示す食器洗い機の背面視内部構造図。
【図５】本発明の第二の実施形態における食器洗い機の斜視内部構造図。
【図６】本発明の第三の実施形態における食器洗い機の側面視内部構造図。
【図７】本発明の第三の実施形態における食器洗い機の背面視内部構造図。
【図８】本発明の第四の実施形態における食器洗い機の背面視内部構造図。
【図９】第一の例として挙げた従来の食器洗い機のホース収納構造。
【図１０】第二の例として挙げた従来の食器洗い機のホース収納構造。
【符号の説明】
【００３４】
１０１  …  洗浄槽
１０２  …  下部トレー
１０３  …  外装板
１０４  …  扉体
１０５  …  操作部
１０６  …  給水ホース収納部
１０７  …  給水口
１０８  …  給水弁
１０９  …  給水ホース
１１０  …  ガイド部材
１１１  …  給水ホース固定部材
１１２  …  警告テープ
１１３  …  折れ防止部材
１１４  …  給水ホース出入口
１１５  …  給水ホース固定兼左右案内部材
１１６  …  凹部
１１７  …  直線状仕切り
１１８  …  円弧状仕切り
１１９  …  吸音部材
１２０  …  補強部材
【図１】
2004305730.tif 000003
【図２】
2004305730.tif 000004
【図３】
2004305730.tif 000005
【図４】
2004305730.tif 000006
【図５】
2004305730.tif 000007
【図６】
2004305730.tif 000008
【図７】
2004305730.tif 000009
【図８】
2004305730.tif 000010
【図９】
2004305730.tif 000011
【図１０】
2004305730.tif 000012